(57)【要約】【課題】支柱を植物栽培面に対して深くさし込んで立てることができない場合でも、立てた支柱を傾倒阻止状態にしっかりと保持でき、しかも、支柱を植物栽培面の好みの位置に立てうる植物栽培面への支柱立てのための構造を提供する【解決手段】プランター１内に、上面部２ａを植物栽培面とする土層２が設けられ、土層２の下にビーズ状保水剤層３が備えられ、土層２の深さ方向中間部に上メッシュシート４が設けられると共に、土層２とビーズ状保水剤層３との境界部に下メッシュシート５が水平に設けられ、支柱６を、植物栽培面２ａに対して上下のメッシュシート４，５を貫通してビーズ状保水剤層３にさし込まれるように立てることで、支柱６が傾倒阻止状態に保持されるようになされている。【選択図】      図１
2011036169.tif 000002
【特許請求の範囲】
【請求項１】
植物栽培面の下方に、上下の支柱保持用メッシュシートが深さ方向に間隔をおいて水平に設けられ、これら上下メッシュシートに貫通状態に立てた支柱が、これら上下のメッシュシートによって傾倒阻止状態に保持されるようになされていることを特徴とする植物栽培面への支柱立てのための構造。
【請求項２】
プランター内に、上面部を前記植物栽培面とする土層が設けられると共に、該土層の下にビーズ状保水剤層が備えられ、前記上メッシュシートが、土層の深さ方向中間部に設けられると共に、前記下メッシュシートが、土層とビーズ状保水剤層との境界部に設けられている請求項１に記載の植物栽培面への支柱立てのための構造。
【請求項３】
前記プランターが、上下の分割されており、上プランター部の下端開口周縁部、又は、下プランター部の上端開口周縁部に上メッシュシートの周縁部が止め付けられ、下プランター部の深さ方向中間部に下メッシュシートの周縁部が止め付けられている請求項２に記載の植物栽培面への支柱立てのための構造。
【請求項４】
前記上下のメッシュシートがそれぞれ、伸縮性のある繊維で構成されている請求項１乃至３のいずれか一に記載の植物栽培面への支柱立てのための構造。
【請求項５】
前記下メッシュシートの目のサイズが、上メッシュシートの目のサイズよりも小さく設定されている請求項２に記載の植物栽培面への支柱立てのための構造。
【発明の詳細な説明】
【技術分野】
【０００１】
本発明は、植物栽培面への支柱立てのための構造に関する。
【背景技術】
【０００２】
植物の栽培において、支柱立てをする場合に、支柱を植物栽培面に対して深くさし込める場合はよいが、例えばプランターでの栽培のように、支柱をさし込むことのできる土の深さ寸法が限られているような場合には、支柱を立てても倒れてしまうという問題がある。
【０００３】
そのため、プランターに、支柱を立てた状態に保持する保持部を設け、該保持部に支柱を保持させて支柱立てをすることができるようになされたプランターが提供されているが、そのようなプランターでは、支柱を立てることのできる位置が限られてしまい、植物栽培面の好みの位置に支柱立てをすることができないという問題がある。
【先行技術文献】
【特許文献】
【０００４】
【特許文献１】特開２００３−９２９３０号公報
【特許文献２】特開２００１−２８９５３号公報
【発明の概要】
【発明が解決しようとする課題】
【０００５】
本発明は、上記のような問題点に鑑み、支柱を植物栽培面に対して深くさし込んで立てることができない場合であっても、立てた支柱を傾倒阻止状態にしっかりと保持することができ、しかも、支柱を植物栽培面の好みの位置に立てることができる植物栽培面への支柱立てのための構造を提供することを課題とする。
【課題を解決するための手段】
【０００６】
上記の課題は、植物栽培面の下方に、上下の支柱保持用メッシュシートが深さ方向に間隔をおいて水平に設けられ、これら上下メッシュシートに貫通状態に立てた支柱が、これら上下のメッシュシートによって傾倒阻止状態に保持されるようになされていることを特徴とする植物栽培面への支柱立てのための構造によって解決される（第１発明）。
【０００７】
この構造では、支柱は、植物栽培面下の、深さ方向に間隔をおいた上下のメッシュシートに貫通状態となるように立てることによって、これら上下のメッシュシートによって傾倒阻止状態に保持されるようになされているので、支柱を植物栽培面に対して深くさし込んで立てることができない場合であっても、立てた支柱を、上下のメッシュシートの協働保持作用によって傾倒阻止状態にしっかりと保持することができる。
【０００８】
しかも、上下のシートはメッシュシートからなるので、植物栽培面のどの位置に支柱を立てても、支柱を上下のメッシュシートに貫通させることができて、支柱を植物栽培面の好みの位置に立てることができる。
【０００９】
第１発明において、プランター内に、上面部を前記植物栽培面とする土層が設けられると共に、該土層の下にビーズ状保水剤層が備えられ、前記上メッシュシートが、土層の深さ方向中間部に設けられると共に、前記下メッシュシートが、土層とビーズ状保水剤層との境界部に設けられているのもよい（第２発明）。
【００１０】
この場合は、ビーズ状保水剤が、土層の下に層をなして備えられているから、灌水を行っても、ビーズ状保水剤を土層内に混入するような場合に比べて、柔らかくなりにくく、そのため、上下のメッシュシートに貫通状態されることによってビーズ状保水剤層中にさし込まれた支柱を、上下のメッシュシートとビーズ状保水剤層とによって、しっかりとした傾倒阻止状態にすることができる。
【００１１】
しかも、ビーズ状保水剤が、土層の下に層をなして備えられていることにより、土層の土が流れるのをビーズ状保水剤層で阻止することができて、プランター設置面の土汚れを抑制ないしは阻止することができる。
【００１２】
第２発明において、前記プランターが、上下の分割されており、上プランター部の下端開口周縁部、又は、下プランター部の上端開口周縁部に上メッシュシートの周縁部が止め付けられ、下プランター部の深さ方向中間部に下メッシュシートの周縁部が止め付けられているとよい（第３発明）。
【００１３】
この場合は、上下のメッシュシートの周縁部がプランターに止め付けられていることで、上下のメッシュシートによる支柱の保持をしっかりとしたものにすることができるのみならず、
プランターを上下に分割したことで、プランター内における上メッシュシートの周縁部の止め付けを容易にすることができる。
【００１４】
第１〜第３発明において、前記上下のメッシュシートがそれぞれ、伸縮性のある繊維で構成されている場合は（第４発明）、支柱を容易に上下のメッシュシートに貫通させることができる。
【００１５】
第２発明において、前記下メッシュシートの目のサイズが、上メッシュシートの目のサイズよりも小さく設定されている場合は（第５発明）、植物の根が上メッシュシートの下方に伸びていきやすくすることができ、しかも、下メッシュシートによって土層の土がビーズ状保水剤層の側に流れるのを抑制することができる。
【発明の効果】
【００１６】
本発明の植物栽培面への支柱立てのための構造は、以上のとおりのものであるから、支柱を植物栽培面に対して深くさし込んで立てることができない場合であっても、立てた支柱を傾倒阻止状態にしっかりと保持することができ、しかも、支柱を植物栽培面の好みの位置に立てることができる。
【図面の簡単な説明】
【００１７】
【図１】実施形態の構造を示すもので、図（イ）は分解断面正面図、図（ロ）は支柱立てをした状態の断面正面図である。
【発明を実施するための形態】
【００１８】
次に、本発明の実施形態を図面に基づいて説明する。
【００１９】
図１に示す実施形態の構造において、１はプランターであり、プランター１内には、上面部２ａを植物栽培面とする土層２が設けられると共に、土層２の下にビーズ状保水剤層３が備えられており、土層２の深さ方向中間部に上メッシュシート４が水平に設けられると共に、土層２とビーズ状保水剤層３との境界部に下メッシュシート５が水平に設けられ、図１（ロ）に示すように、支柱６を、植物栽培面２ａに対して上下のメッシュシート４，５を貫通してビーズ状保水剤層３にさし込まれるように立てることで、支柱６は、これら上下のメッシュシート４，５、更にはビーズ状保水剤層３によって傾倒阻止状態に保持されるようになされている。
【００２０】
上下のメッシュシート４，５は、いずれも、伸縮性のある繊維で構成されていて、支柱６を容易に上下のメッシュシート４，５に貫通させることができるようになっている。また、上メッシュシートはメッシュ幅が例えば７ｍｍ、下メッシュシート５はメッシュ幅が例えば５ｍｍというように、下メッシュシート５の目のサイズは、上メッシュシート４の目のサイズよりも小さく設定されていて、植物の根が上メッシュシート４の下方に伸びていきやすくなっていると共に、下メッシュシート５によって土層２の土がビーズ状保水剤層３の側に流れるのが抑制されるようになされている。
【００２１】
そして、図１（イ）に示すように、上記のプランター１は上下に分割されており、上メッシュシート４の周辺部が、上プランター部８の下端開口周縁部８ａ、又は、下プランター部９の上端開口周縁部９ａに止め付けられており、また、下プランター部９の深さ方向中間部に下メッシュシート５の周縁部が止め付けられていて、上下のメッシュシート４，５による支柱６の保持がしっかりとしたものになるようにされていると共に、プランター１内における上メッシュシート４の周縁部の止め付けを容易にすることができるようになされている。
【００２２】
施工は、下プランター部９の内の中間高さ位置のところまでビーズ状保水剤を入れてビーズ状保水剤層３を形成したのち、その上に下メッシュシート５を敷いて、その周辺部を下プランター部９に止め付け、その上に土層２の下半部を構成する土２ｂを下プランター部９の上端高さ位置まで入れる。しかる後、上メッシュシート４の周縁部を、上プランター部８の下端開口周縁部８ａ、又は、下プランター部９の上端開口周縁部９ａに止め付け、次いで、上プランター部８と下プランター部９とを合体し、上プランター部８の上端開口部を通じて、土層２の上半部を構成する土２ｃを上プランター部８内に入れるというようにして行えばよい。１０は排水口である。
【００２３】
上記の構造では、支柱６は、植物栽培面２ａ下の、深さ方向に間隔をおいた上下のメッシュシート４，５に貫通状態となるように立てることによって、これら上下のメッシュシート４，５によって傾倒阻止状態に保持されるようになされているので、支柱６を植物栽培面２ａに対して深くさし込んで立てることができなくても、立てた支柱６を、上下のメッシュシート４，５の協働保持作用によって傾倒阻止状態にしっかりと保持することができる。
【００２４】
特に、本実施形態では、土層２の下、即ち、下メッシュシート５の下にビーズ状保水剤層３が備えられているので、灌水を行っても、柔らかくなりにくく、そのため、上下のメッシュシート４，５に貫通状態されることによってビーズ状保水剤層３中にさし込まれた支柱６を、上下のメッシュシート４，５とビーズ状保水剤層３とによって、しっかりとした傾倒阻止状態にすることができる。
【００２５】
しかも、上下のシート４，５はメッシュシートからなっており、保水層３はビーズ状保水剤層からなっているので、植物栽培面２ａのどの位置に支柱６を立てても、支柱６を上下のメッシュシート４，５に貫通させることができて、支柱６を植物栽培面２ａの好みの位置に立てることができる。
【００２６】
加えて、土層２の下にビーズ状保水剤層３が備えられているので、土層２の土がビーズ状保水剤層３の側に流れるのをビーズ状保水剤層３が防いで、ベランダなどのプランター設置面の土汚れを抑制ないしは阻止することができる。
【００２７】
以上に、本発明の実施形態を示したが、本発明はこれに限られるものではなく、発明思想を逸脱しない範囲で各種の変更が可能である。例えば、上記の実施形態では、本発明をプランターに適用した場合を示したが、第１発明は、コンクリート面上に設けた土層などに適用することも可能である。
【符号の説明】
【００２８】
１…プランター
２…土層
２ａ…植物栽培面
３…ビーズ状保水剤層
４…上メッシュシート
５…下メッシュシート
６…支柱
８…上プランター部
８ａ…下端開口周縁部
９…下プランター部
９ａ…上端開口周縁部
【図１】
2011036169.tif 000003